(57)【要約】      （修正有）【課題】簡易な構造で、かつ重量のある大型のガラス戸に対しても十分な強度を有し、スムーズが開閉が可能なフラット型の引戸を提供する。【解決手段】第一ガラス戸４と、第一ガラス戸４に対して引違いに左右方向に移動可能とされた第二ガラス戸５と、これらガラス戸の上方において左右方向に延設された一対の案内レール１４，１４と、第二ガラス戸５を吊持した状態で案内レール１４，１４を左右方向に移動可能に設けられた台車１５とを備え、第二ガラス戸５は、台車１５に形成された前後方向に延びる切換レール上を移動可能に吊持され、台車１５は、第二ガラス戸５を前後方向に移動させることにより、第二ガラス戸５を第一ガラス戸４に対して引違いに移動可能とする引違い姿勢と、第二ガラス戸５を第一ガラス戸４に対して面一に並列させる面一姿勢とに切換え可能に構成されたことを特徴とする。【選択図】図３
0003143777.tif 000002
【実用新案登録請求の範囲】
【請求項１】
開口部を左右方向に移動可能に設けられた第一ガラス戸と、前記第一ガラス戸に対して引違いに左右方向に移動可能とされた第二ガラス戸と、これらガラス戸の上方において左右方向に延設された一対の案内レールと、前記第二ガラス戸を吊持した状態で前記案内レールを左右方向に移動可能に設けられた台車とを備え、
前記第二ガラス戸は、前記台車に形成された前後方向に延びる切換レール上を移動可能に吊持され、前記台車は、前記両ガラス戸が前後方向に重なりのない状態で、第二ガラス戸を前後方向に移動させることにより、第二ガラス戸を第一ガラス戸に対して引違いに移動可能とする引違い姿勢と、第二ガラス戸を第一ガラス戸に対して面一に並列させる面一姿勢とに切換え可能に構成されたことを特徴とするフラット引戸。
【請求項２】
前記面一姿勢から引違い姿勢に切換えられた第二ガラス戸を、前記第一ガラス戸側に向かって左右方向に移動させるときに、第二ガラス戸が第一ガラス戸に接触しないようにガイドするガイド部材が設けられ、前記ガイド部材は、第二ガラス戸が引違い姿勢をとったときに第一ガラス戸との間に形成される前後方向の空間に配され、かつ閉戸状態における第一ガラス戸の左右方向の内側面よりも第二ガラス戸寄りに位置するように設置されたことを特徴とする請求項１又は２記載のフラット引戸。
【請求項３】
前記ガイド部材は、前記第二ガラス戸との接触面が、第二ガラス戸の進行方向に対して、第一ガラス戸側から第二ガラス戸側に近づくように傾斜する傾斜面であることを特徴とする請求項３記載のフラット引戸。
【請求項４】
前記第二ガラス戸は、前記ガイド部材を乗り越える位置まで左右方向外側に移動することで姿勢の切換えが可能とされ、前記切換え可能位置において、引違い姿勢にある第二ガラス戸の姿勢を切換えることにより、前記第二ガラス戸は、前記第一ガラス戸に対して左右方向に間隔をおいて面一に並列する面一離間姿勢をとり、この面一離間姿勢から第一ガラス戸に向けて第二ガラス戸を移動させることにより、両ガラス戸が突き合わされた状態で面一に並列する面一突合せ姿勢をとることを特徴とする請求項２又は３記載のフラット引戸。
【請求項５】
前記第二ガラス戸が面一突合せ姿勢をとったときに、その状態から引違い姿勢への切換えができないようにロックするロック機構が設けられ、該ロック機構は、前記第二ガラス戸に設けられる係止部と、前記開口部に設けられる係止受部とからなり、前記係止部と係止受部とは、左右方向に係脱自在とされたことを特徴とする請求項４記載のフラット引戸。
【考案の詳細な説明】
【技術分野】
【０００１】
本考案は、収納室や展示ケースの開口部において、開閉自在に設けられるフラットガラス引戸に関するものであり、特に大型のガラス板が用いられる展示ケースに有用なフラット引戸に関するものである。
【背景技術】
【０００２】
展示ケースにおける引戸としては、２枚のガラス戸が用いられ、ガラス戸を開閉するときには、各ガラス戸が引違いに左右方向に移動可能とされ、閉戸時には、展示物の鑑賞の妨げとならないように、左右のガラス戸が面一となる、いわゆるフラット引戸が知られている。
【０００３】
上記フラット引戸の具体的な構成としては、例えば、特許文献１に示すように、ガラス戸のレールを左右２分割し、レールを前後方向（見込み方向）に移動させることにより、ガラス戸をフラットにするものが知られている。
【０００４】
また、特許文献２に示すように、リンク機構によりガラス戸を前後方向に移動可能としたものも知られている。
【特許文献１】特開昭５１−１４４５７号公報
【特許文献２】特開平８−１２１０１３号公報
【考案の開示】
【考案が解決しようとする課題】
【０００５】
しかしながら、特許文献１に示す引戸においては、構造が複雑となり、コストが高くなるといった問題があった。また、特許文献２に示す引戸においては、引戸に大型のガラス板を使用する場合、リンク機構に重量がかかりすぎて、構造的に強度が不足するおそれがあるという問題があった。
【０００６】
そこで、本考案は、上記課題を解決するためになされたもので、簡易な構造で、かつ重量のある大型のガラス戸に対しても十分な強度を有し、スムーズな開閉が可能なフラット型の引戸の提供を目的とするものである。
【課題を解決するための手段】
【０００７】
上記目的を達成するため、本考案は、開口部を左右方向に移動可能に設けられた第一ガラス戸と、前記第一ガラス戸に対して引違いに左右方向に移動可能とされた第二ガラス戸と、これらガラス戸の上方において左右方向に延設された一対の案内レールと、前記第二ガラス戸を吊持した状態で前記案内レールを左右方向に移動可能に設けられた台車とを備え、
前記第二ガラス戸は、前記台車に形成された前後方向に延びる切換レール上を移動可能に吊持され、前記台車は、前記両ガラス戸が前後方向に重なりのない状態で、第二ガラス戸を前後方向に移動させることにより、第二ガラス戸を第一ガラス戸に対して引違いに移動可能とする引違い姿勢と、第二ガラス戸を第一ガラス戸に対して面一（フラット）に並列させる面一姿勢とに切換え可能に構成されたことを特徴とする。
【０００８】
上記構成によれば、左右方向に移動可能な台車に第二ガラス戸を前後に移動可能に吊持することにより、複雑な構造のレールやリンク機構を使用することなく、重量のある大型のガラス戸を使用した場合でもスムーズに第二ガラス戸の姿勢を切換えることが可能となる。
【０００９】
なお、上記構成のフラット引戸を開くときには、第二ガラス戸を引違い姿勢にした状態で、各ガラス戸を適宜左右方向に移動させ、前後方向（見込み方向）に第一ガラス戸と第二ガラス戸とが重なり合うようにする。また、引戸を閉めるときには、両ガラス戸が前後方向に重なりのない状態で引違い姿勢から面一姿勢に切り換える。このようにすることで、第一ガラス戸と第二ガラス戸とが左右方向に接して面一（フラット）な状態となる。
【００１０】
上記フラット引戸において、閉戸状態から第二ガラス戸を開戸する場合、第二ガラス戸を面一姿勢から引違い姿勢に切換えた後、第一ガラス戸側に左右方向に移動させることになる。このとき、第二ガラス戸は台車に吊持された状態となっているため、ガラス戸が揺れて第一ガラス戸とぶつかるおそれがある。
【００１１】
そこで、本考案においては、面一姿勢から引違い姿勢に切換えられた第二ガラス戸を、前記第一ガラス戸側に向かって左右方向に移動させるときに、第二ガラス戸が第一ガラス戸に接触しないようにガイドするガイド部材が設けられ、前記ガイド部材は、第二ガラス戸が引違い姿勢をとったときに第一ガラス戸との間に形成される前後方向の空間に配され、かつ閉戸状態における第一ガラス戸の左右方向の内側面よりも第二ガラス戸寄りに位置するように設置された構成を採用するのが好ましい。
【００１２】
ガイド部材は、ガラス戸を破壊したり、傷つけたりすることがないように、ガラス戸よりも軟らかい合成樹脂やゴム等の軟質材料で形成するのが好ましい。また、ガイド部材は、第二ガラス戸との接触面が、第二ガラス戸の進行方向に対して、第一ガラス戸側から第二ガラス戸側に近づくように傾斜する傾斜面とするのが好ましく、これにより、第二ガラス戸をスムーズに適正な姿勢に導くことが可能となる。
【００１３】
上記ガイド部材を備えたフラット引戸においては、第二ガラス戸は、前記ガイド部材を乗り越える位置まで左右方向外側に移動することで姿勢の切換えが可能となる。そして、切換え可能位置において、引違い姿勢にある第二ガラス戸の姿勢を切換えることにより、第二ガラス戸は、まず、第一ガラス戸に対して左右方向に間隔をおいて面一に並列する面一離間姿勢をとり、この面一離間姿勢から第一ガラス戸に向けて第二ガラス戸を移動させることにより、両ガラス戸が突き合わされた状態で面一に並列する面一突合せ姿勢をとることになる。すなわち、本構成では、前述した面一姿勢は、さらに面一離間姿勢と面一突合せ姿勢とに分けられる。
【００１４】
また、上記ガイド部材を備えたフラット引戸において、第二ガラス戸が面一突合せ姿勢をとったときに、その状態から引違い姿勢への切換えができないようにロックするロック機構が設けられ、該ロック機構は、前記第二ガラス戸に設けられる係止部と、開口部に設けられる係止受部とからなり、係止部と係止受部とは、左右方向に係脱自在とされた構成を採用することができる。これにより、ロック機構がロックした状態で、第二ガラス戸が前後方向に移動するのを防止することができる。閉戸状態でガラス戸を確実に固定可能なフラット引戸を得ることができる。
【００１５】
なお、上記構成においては、ガイド部材の存在により、係止部と係止受部とがぶつかるのを未然に防止することが可能となる。
以上説明したフラット引戸は、十分な強度を有していることから重量の大きいガラス板であってもスムーズな開閉が可能となる。なお、ここでいうガラスとしては、無機ガラスのほか、ポリカーボネートやポリアクリレート等の有機ガラスを含むものである。
【考案の効果】
【００１６】
以上の説明から明らかな通り、本考案によると、左右方向に移動可能な台車に第二ガラス戸を前後に移動可能に吊持することにより、複雑な構造のレールやリンク機構を使用することなく、重量のある大型のガラス戸を使用した場合でもスムーズに第二ガラス戸の姿勢を切換えることが可能となる。
【考案を実施するための最良の形態】
【００１７】
以下、本考案の実施形態であるフラット引戸を図面に基づいて説明する。図１は本実施形態のフラット引戸を備えた展示ケースの概略構成を示す正面図、図２はその展示ケースの開口部において、フラット引戸を組み入れるための枠体を示す分解斜視図、図３は展示ケースに組み込まれたフラット引戸の引違い姿勢における構造を示す縦断面図、図４は第二ガラス戸と台車を示す分解斜視図、図５は台車を示す外観斜視図、図６はガラス戸の動きを平面視した概略図、図７は面一姿勢におけるフラット引戸の構造を示す縦断面図である。
【００１８】
図１〜図７に示すように、展示ケース１には、開口部１ａの内面にはめ込んで固定される枠体２と、枠体２内に左右方向に移動可能に組み入れられる第一ガラス戸４及び第二ガラス戸５とを備えたフラット引戸３が設けられている。なお、本実施形態においては、第一ガラス戸４及び第二ガラス戸５として無機ガラス板が使用されている。第一ガラス戸４及び第二ガラス戸５の軌道は、前後方向（見込み方向）に平行に設定されており、これにより両ガラス戸４、５は引違いに左右方向に移動可能とされている。
【００１９】
枠体２は、上枠６、下枠７、右枠８及び左枠９から構成されている。第一ガラス戸４の下方には車輪１０が取り付けられており、下枠７に形成されたガラス戸用レール１１上を左右に走行可能とされる。さらに、第一ガラス戸４の上部には、補助ローラ１２が設けられており、補助ローラ１２が上枠６に設けられた補助レール１３内を走行することにより、第一ガラス戸４の姿勢を垂直に維持するようになっている。
【００２０】
第一ガラス戸４と第二ガラス戸５とが引違いに左右方向に移動するときは、図３に示すように、第二ガラス戸５の軌道は、第一ガラス戸４の後側を、第一ガラス戸４に対して平行に移動するように設定される。具体的には、上枠６に第二ガラス戸５を移動させるための案内レール１４が形成されている。案内レール１４は、前後方向に平行に設けられた一対のレールからなり、この一対のレール上を台車１５が左右方向に移動可能に設置される。
【００２１】
台車１５には、前後方向に延びる切換レール１６が左右一対形成されており、各切換レール１６、１６上に一対の車輪１７、１７がそれぞれ載置されている。車輪１７、１７は、フレーム１８に固定されており、これによって切換レール１６から脱輪しないようになっている。
【００２２】
このような構成の台車１５が案内レール１４を２台走行可能とされている。そして、第二ガラス戸５の上部には把持部５ｂが形成され、この把持部５ｂが各台車１５のフレーム１８に固定される。以上の構成により、第二ガラス戸５は台車によって左右方向に移動可能で、かつ車輪１７を介して前後方向にも移動可能とされている。第二ガラス戸５が第一ガラス戸４と引違いに移動するときは、第二ガラス戸５は、台車１５の切換レール１６の後端に寄せられた引違い姿勢とされる。
【００２３】
フラット引戸３を閉めるときには、両ガラス戸４、５が前後方向に重なりのない状態で、図７に示すように、第二ガラス戸５は台車１５の切換レール１６の前端に移動することで面一姿勢をとる。これにより、第二ガラス戸５を第一ガラス戸４に対して面一に並列させることができる。以上説明したように、台車１５は、第二ガラス戸５を切換レール１６の前後に移動させることで、第二ガラス戸５を引違い姿勢と面一姿勢とに切換え可能となっている。
【００２４】
上記構成のフラット引戸３には、第二ガラス戸５を開く際に、第二ガラス戸５が第一ガラス戸４に接触しないようにガイドするガイド部材１９が設けられる。ガイド部材１９は、第二ガラス戸５が引違い姿勢をとったときに、第一ガラス戸４との間に形成される前後方向の空間に配され、かつ閉戸状態における第一ガラス戸４の左右方向の内側面よりも第二ガラス戸５側に位置するように設置される。すなわち、第一ガラス戸４を右枠８に接するように配置した状態で、ガイド部材１９が第一ガラス戸４の左側面よりも第二ガラス戸５寄りになるように、第一ガラス戸４の左側面から左方へ突出するように設置される。
【００２５】
本実施形態において、ガイド部材１９は、軟質の合成樹脂からなり、断面台形の四角柱状とされる。そして、ガイド部材１９の長辺が第一ガラス戸４側に、短辺側が第二ガラス戸５側に向くようにして設置される。これにより、第二ガラス戸５の姿勢が正しくない場合には、第一ガラス戸４に接触するよりも前に、ガイド部材１９の傾斜面１９ａが第二ガラス戸５に接触する。
【００２６】
このとき、傾斜面１９ａは、第一ガラス戸４の方向に進む第二ガラス戸５の進行方向に対して、第一ガラス戸４側から第二ガラス戸５側に近づくように傾斜するため、第二ガラス戸５の姿勢が、引違い姿勢からずれている場合に、傾斜面１９ａが第二ガラス戸５を正しい引違い姿勢までガイドする。
【００２７】
ガイド部材１９を備えたフラット引戸３において、ガラス戸４，５を開閉する場合の、ガラス戸の動きについて説明する。図６（ａ）に示すように、引戸３が閉じた状態においては、第一ガラス戸４と第二ガラス戸５とは左右方向に面一で互いの内側面４ａ及び５ａが突き合された面一突合せ姿勢をとる。左枠９内には、第二ガラス戸５が移動するための空間が設けられている。そして、第二ガラス戸５を左枠９に当たるまで左右方向外側に移動させることで、第二ガラス戸５は、第一ガラス戸４に対して左右方向に間隔をおいて面一に並列する面一離間姿勢をとる（図６（ｂ）参照）。
【００２８】
次に、面一離間姿勢の第二ガラス戸５を後方に押し込むと、第二ガラス戸５は、ガイド部材１９を回避しつつ引違い姿勢をとる（図６（ｃ）参照）。これによって、第一ガラス戸４と第二ガラス戸５とは互いに引違いに左右方向に移動可能となる。
【００２９】
逆に、開戸状態のフラット引戸３を閉じるときには、第一ガラス戸４を右枠８に当たるまで左右方向外側に移動させ、さらに、第二ガラス戸５をガイド部材１９を乗り越える位置まで左右方向外側（左枠９側）に移動する。これによって、第二ガラス戸５は、姿勢の切換えが可能となり、あとは上述した開戸操作と逆の操作を行うことで、閉戸状態にすることができる。
【００３０】
本実施形態においては、第二ガラス戸５が面一突合せ姿勢をとったときに、その状態から引違い姿勢への切換えができないようにロックするロック機構が設けられる。ロック機構は、第二ガラス戸５に設けられる係止部２０と、開口部１ａに設けられる係止受部２１とから構成される。係止部２０は、第二ガラス戸５の上部２か所と下部２か所に設けられ、第二ガラス戸５から前方に突出するように形成される。
【００３１】
一方、上枠６の前方には、各ガラス戸４，５の上部を蔽う上部カバー６ａが取り付けられ、下枠７の前方には、各ガラス戸４，５の下部を蔽う下部カバー７ａが取り付けられている。上部カバー６ａと下部カバー７ａとに、係止受部３２が形成される。すなわち、係止受部２１は、カバー６ａ、７ａ及び上下枠６，７を介して開口部１ａに固定されている。
【００３２】
係止受部２１は、第二ガラス戸５が面一突合せ姿勢をとったときに、係止部２０に係合するように設けられる。具体的に、係止部２０はフック状に形成されており、係止受部２１は、係止部２０のフックが係合可能な凹状に形成される。なお、両者は横向きで互いに対向するように形成されており、第二ガラス戸５を左右方向に移動させることで係脱自在とされている。そして、第二ガラス戸５が面一突合せ姿勢をとったときには係止部２０と係止受部２１とが係合し、これによって第二ガラス戸５が前後方向に移動するのを規制する。
【００３３】
さらに、上記フラット引戸３には、面一突合せ姿勢にある第二ガラス戸５を固定する錠２２が設けられている。この錠２２は、面一突合せ姿勢にある係止部２０に対して係止受部２１と反対側に配置され、回動可能なロックアーム２２ａを備えている。ロックアーム２２ａは、回動によって係止部２０に係合し、係止受部２１とで係止部２０を挟み込んで係止部２０の左右方向への移動を規制する。これにより、フラット引戸３全体が固定される。
【図面の簡単な説明】
【００３４】
【図１】本実施形態のフラット引戸を備えた展示ケースの概略構成を示す正面図
【図２】フラット引戸を展示ケースに組み入れるための枠体を示す分解斜視図
【図３】展示ケースに組み込まれた引戸の引違い姿勢における構造を示す縦断面図
【図４】第二ガラス戸と台車を示す分解斜視図
【図５】台車を示す外観斜視図
【図６】ガラス戸の動きを平面視した概略図で、（ａ）は閉戸時における面一突合せ姿勢を、（ｂ）は面一離間姿勢を、（ｃ）は引違い姿勢を、それぞれ示す。
【図７】面一姿勢におけるフラット引戸の構造を示す縦断面図
【図８】ガイド部材を示す斜視図
【図９】係止部と係止受部を示す斜視図
【符号の説明】
【００３５】
１      展示ケース
１ａ    開口部
２      枠体
３      フラット引戸
４      第一ガラス戸
５      第二ガラス戸
６      上枠
７      下枠
８      右枠
９      左枠
１０    車輪
１１    ガラス戸用レール
１２    補助ローラ
１３    補助レール
１４    案内レール
１５    台車
１６    切換レール
１７    車輪
１８    フレーム
１９    ガイド部材
１９ａ  傾斜面
２０    係止部
２１    係止受部
【図１】
0003143777.tif 000003
【図２】
0003143777.tif 000004
【図３】
0003143777.tif 000005
【図４】
0003143777.tif 000006
【図５】
0003143777.tif 000007
【図６】
0003143777.tif 000008
【図７】
0003143777.tif 000009
【図８】
0003143777.tif 000010
【図９】
0003143777.tif 000011
【手続補正書】
【提出日】平成20年5月29日(2008.5.29)
【手続補正１】
【補正対象書類名】実用新案登録請求の範囲
【補正対象項目名】全文
【補正方法】変更
【補正の内容】
【実用新案登録請求の範囲】
【請求項１】
開口部を左右方向に移動可能に設けられた第一ガラス戸と、前記第一ガラス戸に対して引違いに左右方向に移動可能とされた第二ガラス戸と、これらガラス戸の上方において左右方向に延設された一対の案内レールと、前記第二ガラス戸を吊持した状態で前記案内レールを左右方向に移動可能に設けられた台車とを備え、
前記第二ガラス戸は、前記台車に形成された前後方向に延びる切換レール上を移動可能に吊持され、前記台車は、前記両ガラス戸が前後方向に重なりのない状態で、第二ガラス戸を前後方向に移動させることにより、第二ガラス戸を第一ガラス戸に対して引違いに移動可能とする引違い姿勢と、第二ガラス戸を第一ガラス戸に対して面一に並列させる面一姿勢とに切換え可能に構成されたことを特徴とするフラット引戸。
【請求項２】
前記面一姿勢から引違い姿勢に切換えられた第二ガラス戸を、前記第一ガラス戸側に向かって左右方向に移動させるときに、第二ガラス戸が第一ガラス戸に接触しないようにガイドするガイド部材が設けられ、前記ガイド部材は、第二ガラス戸が引違い姿勢をとったときに第一ガラス戸との間に形成される前後方向の空間に配され、かつ閉戸状態における第一ガラス戸の左右方向の内側面よりも第二ガラス戸寄りに位置するように設置されたことを特徴とする請求項１記載のフラット引戸。
【請求項３】
前記ガイド部材は、前記第二ガラス戸との接触面が、第二ガラス戸の進行方向に対して、第一ガラス戸側から第二ガラス戸側に近づくように傾斜する傾斜面であることを特徴とする請求項２記載のフラット引戸。
【請求項４】
前記第二ガラス戸は、前記ガイド部材を乗り越える位置まで左右方向外側に移動することで姿勢の切換えが可能とされ、前記切換え可能位置において、引違い姿勢にある第二ガラス戸の姿勢を切換えることにより、前記第二ガラス戸は、前記第一ガラス戸に対して左右方向に間隔をおいて面一に並列する面一離間姿勢をとり、この面一離間姿勢から第一ガラス戸に向けて第二ガラス戸を移動させることにより、両ガラス戸が突き合わされた状態で面一に並列する面一突合せ姿勢をとることを特徴とする請求項２又は３記載のフラット引戸。
【請求項５】
前記第二ガラス戸が面一突合せ姿勢をとったときに、その状態から引違い姿勢への切換えができないようにロックするロック機構が設けられ、該ロック機構は、前記第二ガラス戸に設けられる係止部と、前記開口部に設けられる係止受部とからなり、前記係止部と係止受部とは、左右方向に係脱自在とされたことを特徴とする請求項４記載のフラット引戸。